(57)【要約】【課題】屋根梁を含む屋根全体を断熱して冷橋をなくす屋根の断熱構造において、簡素な構成により、屋根材の支持と通気層の形成を行なうこと。【解決手段】屋根梁１２に支持した垂木２１に屋根材２２を配設するとともに、屋根梁１２に支持した天井根太２３に天井材２４を配設してなる屋根２０の断熱構造において、垂木２１の高さ範囲のうちの一部に屋根梁１２を覆う外断熱材３０を装填し、垂木２１の上記高さ範囲のうちの外断熱材３０より上部を通気層４０とするもの。【選択図】  図１
2004346628.tif 000002
【特許請求の範囲】
【請求項１】
屋根梁に支持した垂木に屋根材を配設するとともに、屋根梁に支持した天井根太に天井材を配設してなる屋根の断熱構造において、
垂木の高さ範囲のうちの一部に屋根梁を覆う外断熱材を装填し、垂木の上記高さ範囲のうちの外断熱材より上部を通気層とすることを特徴とする屋根の断熱構造。
【請求項２】
前記垂木を屋根梁の上面に支持する請求項１に記載の屋根の断熱構造。
【請求項３】
前記垂木を転び止め金具により屋根梁の上面に固定する請求項２に記載の屋根の断熱構造。
【請求項４】
前記外断熱材と天井材との間に、内断熱材を装填する請求項１〜３のいずれかに記載の屋根の断熱構造。
【発明の詳細な説明】
【０００１】
【発明の属する技術分野】
本発明は、屋根の断熱構造に関する。
【０００２】
【従来の技術】
屋根の断熱構造として、特許文献１に記載の如く、屋根梁の上方に屋根材を配設し、屋根梁の下方に天井材を配設してなる屋根の断熱構造において、上記屋根梁間に断熱パネルをそのパネル上面が屋根梁の上面部よりも上方に位置するようにし、且つその下面が屋根梁上面部より下方に位置するようにして掛け渡すと共に、上記屋根梁の上面部に上記断熱パネルと連続するように外断熱材を設け、屋根梁を含む屋根全体を断熱して冷橋をなくし、天井材等の結露を防止するものがある。この屋根の断熱構造では、断熱パネルの上面に木桟を介して屋根材を支持し、木桟が形成する断熱パネルと屋根材の間隙部を通気層としている。
【０００３】
【特許文献１】
特許３２８０７８１（２頁、図１）
【０００４】
【発明が解決しようとする課題】
特許文献１の屋根の断熱構造では、断熱パネルを構成する枠材を係止金具により屋根梁に固定するとともに、屋根材を支持する木桟を断熱パネルの上面に固定し、断熱パネルと屋根材の間隙部を通気層にしている。屋根材の支持と通気層の形成のために、断熱パネルの枠材と木桟を併用する必要があり、構成複雑で高コストになる。
【０００５】
本発明の課題は、屋根梁を含む屋根全体を断熱して冷橋をなくす屋根の断熱構造において、簡素な構成により、屋根材の支持と通気層の形成を行なうことにある。
【０００６】
【課題を解決するための手段】
請求項１の発明は、屋根梁に支持した垂木に屋根材を配設するとともに、屋根梁に支持した天井根太に天井材を配設してなる屋根の断熱構造において、垂木の高さ範囲のうちの一部に屋根梁を覆う外断熱材を装填し、垂木の上記高さ範囲のうちの外断熱材より上部を通気層とするようにしたものである。
【０００７】
請求項２の発明は、請求項１の発明において更に、前記垂木を屋根梁の上面に支持するようにしたものである。
【０００８】
請求項３の発明は、請求項２の発明において更に、前記垂木を転び止め金具により屋根梁の上面に固定するようにしたものである。
【０００９】
請求項４の発明は、請求項１〜３のいずれかの発明において更に、前記外断熱材と天井材との間に、内断熱材を装填するようにしたものである。
【００１０】
【作用】
請求項１の発明によれば下記▲１▼の作用がある。
▲１▼屋根材を支持する垂木を屋根梁に支持し、垂木の高さ範囲のうちの一部に屋根梁を覆う外断熱材を装填し、垂木の上記高さ範囲のうちの外断熱材より上部を通気層にした。垂木により、屋根材を支持しながら通気層を形成でき、構成を簡素にし、低コスト化できる。
【００１１】
請求項２の発明によれば下記▲２▼の作用がある。
▲２▼垂木を屋根梁の上面に支持することにより、複雑な金具を用いることなく、垂木を簡易かつ確実に屋根梁に支持できる。
【００１２】
請求項３の発明によれば下記▲３▼の作用がある。
▲３▼転び止め金具により、垂木を屋根梁の上面に安定的に支持できる。
【００１３】
請求項４の発明によれば下記▲４▼の作用がある。
▲４▼外断熱材と天井材との間に、内断熱材を装填することにより、屋根全体の断熱性能を向上できる。垂木を屋根梁の上面に支持し、外断熱材の下面を垂木の下端面に揃えるとき、屋根梁のほぼ全高を内断熱材のための装填スペースとすることができ、内断熱材の装填厚みを厚くできる。
【００１４】
【発明の実施の形態】
図１は屋根の桁方向に沿う断面を示す断面図、図２は屋根の妻方向に沿う断面を示す断面図、図３は屋根の平面図である。
【００１５】
図１〜図３は、本発明が適用されたユニット建物１の屋根構造を示すものである。ユニット建物１は、例えば図３に示す如く、複数の建物ユニット１０を並置して構築される。建物ユニット１０は、４本の角鋼管等からなる柱１１の上端部間にＣ形鋼等の屋根梁（天井梁ともいう）１２を方形に架け渡すとともに、柱１１の下端部間にＣ形鋼等の床梁（不図示）を方形に架け渡した直方体状の鉄骨構造体である。
【００１６】
ユニット建物１の屋根２０は、屋根梁１２を主体とし、屋根梁１２の上面の妻方向（短尺方向）に架け渡した垂木２１に例えば塩化ビニル被覆鋼板からなる屋根材２２を配設するとともに、屋根梁１２の下面の妻方向に架け渡した天井根太２３に例えば石膏ボードからなる天井材２４を配設することにより構成されている。
【００１７】
尚、垂木２１としては、建物ユニット１０の４本の屋根梁１２の骨組内に設けられる主垂木２１Ａと、建物ユニット１０の桁方向（長尺方向）の屋外側寄りの主垂木２１Ａに交差して桁方向の軒先側に突き出るように設けられる軒先垂木２１Ｂと、建物ユニット１０の各主垂木２１Ａに沿って妻方向の軒先側に突き出るように設けられる軒先垂木２１Ｃがある。垂木２１（２１Ａ、２１Ｂ、２１Ｃ）は、転び止め金具２５により、屋根梁１２の上面にボルト止めされる。転び止め金具２５は、Ｌ字状をなし、Ｌ字の水平板部を屋根梁１２の上面に添設してボルト止めされ、Ｌ字の鉛直板部に垂木２１を釘打ち固定される。複数の軒先垂木２１Ｂの先端部には鼻隠し２６が設けられ、複数の軒先垂木２１Ｃの先端部には鼻隠し２７が設けられる。
【００１８】
屋根２０を断熱構造にするため、建物ユニット１０の４本の屋根梁１２の骨組の平面視における内外の全域において、垂木２１の高さ範囲のうちの下側の一部にグラスウールの外断熱材３０を装填し、垂木２１の上記高さ範囲のうちの外断熱材３０より上部（外断熱材３０と屋根材２２の間隙部）を通気層４０とする。外断熱材３０は、屋根梁１２の上面に載るように装填された外断熱材３１と、屋根梁１２の上面に囲まれる内側の全域に装填された外断熱材３２と、屋根梁１２の上面に対する軒先側の側傍に沿って装填された外断熱材３３を有し、特に外断熱材３１によって屋根梁１２を覆い、屋根梁１２が冷橋になることを防止する。
【００１９】
屋根２０では、建物ユニット１０の４本の屋根梁１２の骨組の平面視における内部の全域において、屋根梁１２の高さ範囲内の全部、換言すれば外断熱材３０（３１、３２）と天井材２４との間にグラスウールの内断熱材５０を装填する。
【００２０】
尚、ユニット建物１において、６１は屋外側に位置する屋根梁１２から下方の床梁にかけて設けられた断熱材６１Ａを有する外壁パネルであり、この外壁パネル６１の屋内側には、断熱材６２Ａを有する内壁パネル６２が設けられている。外壁パネル６１の上方には、屋根材２２から連続する庇６３が取付けられる。外壁パネル６１は、断熱材６１Ａの屋外側に通気層６１Ｂを備えており、この通気層６１Ｂは屋根２０の通気層４０に連続する。
【００２１】
屋根２０の構築手順は以下の如くになる。
（１）建物ユニット１０の工場生産段階で、屋根梁１２に天井根太２３を架け渡し、天井根太２３に天井材２４を配設した後、天井材２４の上に内断熱材５０を装填する。その後、屋根梁１２に主垂木２１Ａを架け渡す。
【００２２】
（２）上述（１）の建物ユニット１０を建築現場に据付け、屋根梁１２に軒先垂木２１Ｂ、２１Ｃを架け渡し、軒先垂木２１Ｂ、２１Ｃの先端部に鼻隠し２６、２７を設ける。その後、建物ユニット１０の４本の屋根梁１２の骨組の平面視における内外の全域で、垂木２１の下側の一部に外断熱材３０を装填する。
【００２３】
（３）上述（２）の建物ユニット１０の垂木２１に屋根材２２を支持し、屋根材２２と外断熱材３０との間に通気層４０を形成する。
【００２４】
屋根２０の断熱構造によれば、建物ユニット１０における屋根梁１２の上面に垂木２１を設け、４本の屋根梁１２の骨組の平面視における内外の全域で、垂木２１の下側の一部に外断熱材３０を装填したから、屋根梁１２を含む屋根全体が断熱されて冷橋がなくなり、天井材２４等の結露を防止できる。従って、天井材２４の結露によるしみの発生を防止でき、天井材２４等の耐久性を向上できる。
【００２５】
また、外断熱材３０と屋根材２２の間に通気層４０を形成したから、屋根裏の湿気を換気して取り除くことができ、断熱性を向上できるし、夏場の屋根裏の加熱を防止できる。
【００２６】
本実施形態によれば、以下の作用がある。
▲１▼屋根材２２を支持する垂木２１を屋根梁１２に支持し、垂木２１の高さ範囲のうちの一部に屋根梁１２を覆う外断熱材３０を装填し、垂木２１の上記高さ範囲のうちの外断熱材３０より上部を通気層４０にした。垂木２１により、屋根材２２を支持しながら通気層４０を形成でき、構成を簡素にし、低コスト化できる。
【００２７】
▲２▼垂木２１を屋根梁１２の上面に支持することにより、複雑な金具を用いることなく、垂木２１を簡易かつ確実に屋根梁１２に支持できる。
【００２８】
▲３▼転び止め金具２５により、垂木２１を屋根梁１２の上面に安定的に支持できる。
【００２９】
▲４▼外断熱材３０と天井材２４との間に、内断熱材５０を装填することにより、屋根全体の断熱性能を向上できる。垂木２１を屋根梁１２の上面に支持し、外断熱材３０の下面を垂木２１の下端面に揃えるとき、屋根梁１２のほぼ全高を内断熱材５０のための装填スペースとすることができ、内断熱材５０の装填厚みを厚くできる。
【００３０】
以上、本発明の実施の形態を図面により詳述したが、本発明の具体的な構成はこの実施の形態に限られるものではなく、本発明の要旨を逸脱しない範囲の設計の変更等があっても本発明に含まれる。
【００３１】
【発明の効果】
本発明によれば、屋根梁を含む屋根全体を断熱して冷橋をなくす屋根の断熱構造において、簡素な構成により、屋根材の支持と通気層の形成を行なうことができる。
【図面の簡単な説明】
【図１】図１は屋根の桁方向に沿う断面を示す断面図である。
【図２】図２は屋根の妻方向に沿う断面を示す断面図である。
【図３】図３は屋根の平面図である。
【符号の説明】
１２  屋根梁
２０  屋根
２１  垂木
２２  屋根材
２３  天井根太
２４  天井材
２５  転び止め金具
３０  外断熱材
４０  通気層
５０  内断熱材
【図１】
2004346628.tif 000003
【図２】
2004346628.tif 000004
【図３】
2004346628.tif 000005